(57)【要約】      （修正有）【課題】発熱体なしでも硬いアイスクリームなどの冷凍品を簡単に掬い取ることが可能で、しかも簡単な構成で機能消失のおそれも無く、ランニングコストもかからないユニークな冷凍品掬い具を提供する。【解決手段】掬い部２と、掬い部２と一連の柄部３とを有し、少なくとも掬い部２がカーボングラファイトにて造形されている。【選択図】図１
0003180296.tif 000002
【実用新案登録請求の範囲】
【請求項１】
掬い部と前記掬い部と一連の柄部とを有し、少なくとも前記掬い部がカーボングラファイトにて造形されていることを特徴とする冷凍品掬い具。
【請求項２】
掬い部と前記掬い部と一連の柄部とを有し、前記掬い部がカーボングラファイトにて造形されており、前記柄部がカーボングラファイトとは異なる材質材で造形されており、前記掬い部と前記柄部とが連結部材で結合されていることを特徴とする冷凍品掬い具。
【請求項３】
カーボングラファイトにて造形されている部分の表面にコーチング層が施されていることを特徴とする請求項１または２に記載の冷凍品掬い具。
【考案の詳細な説明】
【技術分野】
【０００１】
本考案は、アイスクリームなどの冷凍品を掬い取る冷凍品掬い具に関する。
【背景技術】
【０００２】
従来、冷凍状態で固まっているアイスクリームを掬い取るために、ディッサースプーン、スクレープ、サーバー、ストロッセルなどと称される各種の業務用あるいは家庭用の掬い具（以下、スプーンと記す）が用いられている。これらはアルミニューム、ステンレス、真鍮、銅などの金属製である。合成樹脂製や木製もある。
【０００３】
しかし、何れにしても、冷凍硬度が高い状態のアイスクリームの場合にはスプーンの掬い部を硬いアイスクリームに強く押し付けて食い込ませなければならず、多大な力を要する上、少量しか掬い取れない。
【０００４】
そこで、スプーンを水で濡らしたり、お湯に浸けて暖めたりすることで、少しでも楽に掬い取れるようにしている。
【０００５】
特許文献１には、硬いアイスクリームも簡単に掬い取るために、掬い部に発熱体を発熱可能に備えた発熱体付きスプーンが提案されている。
【先行技術文献】
【特許文献】
【０００６】
【特許文献１】特開平８−２３８１５６号公報
【考案の概要】
【考案が解決しようとする課題】
【０００７】
しかしながら、発熱体付きスプーンは、通電回路部や交換バッテリーが必要で構造が複雑となる上、通電系統の故障やバッテリーの消耗などで機能が消失することも考えられる。
【０００８】
本考案は、発熱体なしでも硬いアイスクリームなどの冷凍品を簡単に掬い取ることが可能で、しかも簡単な構成で機能消失のおそれも無く、ランニングコストもかからないユニークな冷凍品掬い具を提供することを目的とする。
【課題を解決するための手段】
【０００９】
本考案は、掬い部と前記掬い部と一連の柄部とを有し、少なくとも前記掬い部がカーボングラファイトにて造形されていることを特徴とする冷凍品掬い具である。
【考案の効果】
【００１０】
本考案の冷凍品掬い具によれば、発熱体なしでも硬いアイスクリームなどの冷凍品を簡単に掬い取ることが可能で、しかも簡単な構成で機能消失のおそれも無く、ランニングコストもかからない。
【図面の簡単な説明】
【００１１】
【図１】実施例の冷凍品掬い具としてのアイスクリームスクレープの外観斜視図
【図２】実施例の他の冷凍品掬い具としてのアイスクリームサーバーの外観斜視図
【図３】実施例の更に他の冷凍品掬い具としてのアイスクリームサーバーの縦断面図
【図４】実施例の更に他の冷凍品掬い具としてのアイスクリームスクレープ及びアイスクリームサーバーの縦断面図
【考案を実施するための形態】
【００１２】
図１と図２はそれぞれ本考案に係る冷凍品掬い具１としてのアイスクリームスクレープとアイスクリームサーバーの外観斜視図である。以下、何れもスプーンと記す。何れのスプーン１も掬い部（掬い凹部、匙部）２とこの掬い部２と一連の柄部（握り部、取手部）３とを有している。
【００１３】
このスプーン１は掬い部２と柄３の全体をカーボングラファイトブロックの切削加工により造形したものである。カーボングラファイトは六角形格子状に結合している炭素原子のシートが積層しているカーボン（炭素）から成る物質であり、耐熱性や電気伝導性、耐薬品性などすぐれた特性を持つ工業素材である。耐熱性に優れ、高温で強度が増大する、耐熱衝撃性に優れ、熱変形が小さい、電機伝導度、熱伝導性が高い、耐化学薬品性に優れる、自己潤滑性があり、金属やガラスに濡れない、などの特性がある。
【００１４】
カーボングラファイトは各種の配合、種類のものが製造・販売されている。本考案は何れのものを使用しても同様の効果が得られる。カーボングラファイトに所望の添加物を加える事で機械的、化学的性質を変更し強度や靭性、熱伝導性等の本考案に必要とされる性質を向上させたカーボングラファイト化合物あるいはカーボングラファイト組成物を使用してもよい。本考案において「カーボンフラファイト」にはそのようなカーボングラファイト化合物あるいはカーボングラファイト組成物も包含される。
【００１５】
従来のスプーンと同様に、柄部３を握り、掬い部２を冷凍状態のアイスクリームに押し付けて食い込ませてアイスクリームを掬い取る。この場合、冷凍硬度が高い状態のアイスクリームの場合においても、従来の金属製、合成樹脂製、木製などのスプーンの場合に比べて、本考案に係るカーボングラファイト製のスプーン１の場合は小さい力で掬い部２を硬いアイスクリームに対して容易に食い込ませてより多量のアイスクリームを簡単に掬い取ることが可能であることを知見した。
【００１６】
カーボングラファイトは熱伝導率においては理科年表において数値的には例えば銅よりも劣る数値となっているけれども、実際には、カーボングラファイト製のスプーン１は銅製等の従来の金属製のスプーンよりも、硬いアイスクリームの掬い取り性能において上記のように上回る性能をもっていることを知見して本考案を完成したものである。その理由は解明できていないけれども、界面におけるイオンの影響ではないかとも推測される。
【００１７】
本考案のスプーン１は、図３の例の断面図のように、掬い部２をカーボングラファイトで造形し、柄部３は木材、合成樹脂、金属などのカーボングラファイト以外の材質材で造形し、結合部材４で掬い部２と柄部３とを一連に結合した構造形態のものにすることも出来る。
【００１８】
また、カーボングラファイトで造形した掬い部２、或いはカーボングラファイトで造形した掬い部２と柄部３の表面について、図４の（ａ）や（ｂ）の例のように、樹脂等の被覆材あるいは含浸材によるコーチング層５を施した構造形態のものにすることも出来る。
【００１９】
上記の実施例においては冷凍品としてアイスクリームを例示したけれども、本考案にかかる掬い具１は、アイスクリームに限られず、スプーンで掬い取ることが可能なフリ−ズ状態のジェラートなどの他の冷菓類、スプーンで掬い取ることが可能なフリ−ズ状態のカレー、シチュー、スープなど他の食品類、或いは食品類以外の冷凍品の掬い具として好適である。
【００２０】
かくして、本考案にかかる冷凍品掬い具１によれば、発熱体なしでも硬いアイスクリームなどの冷凍品を簡単に掬い取ることが可能で、しかも簡単な構成で機能消失のおそれも無く、ランニングコストもかからない。従来品に比較して、冷凍品の掬い取りが容易（作用させる力の低減化、および速度向上）となり、作業効率の向上、重勤対策、衛生的（スプーンを濡らす水を多用しないで済む）の効用があり、業務用の冷凍品掬い具としては勿論のこと、家庭用の冷凍品掬い具としても有効適切である。
【符号の説明】
【００２１】
１・・冷凍品掬い具、２・・掬い部、３・・柄部、４・・結合部材、５・・表面コーチング層
【図１】
0003180296.tif 000003
【図２】
0003180296.tif 000004
【図３】
0003180296.tif 000005
【図４】
0003180296.tif 000006